(57)【要約】【課題】光源によって発光する風向調節羽根にあって、構造が簡単で壊れ難い構成を提案する。【解決手段】羽根本体１０の少なくとも前縁を装飾フィルム１１で被覆し、羽根本体１０を、光を透過する導光部１３と、光を透過しない遮光部１４とによって構成する。そして、導光部１３を装飾フィルム１１の裏面に当接させるとともに、導光部１３の、羽根本体１０の側部に露出する部分を光源の光を受け入れる受光部１８とし、さらに、装飾フィルム１１の、導光部１３を被覆する部分に光を透過可能な照明部２５を形成し、導光部１３の受光部１８に入射した光が装飾フィルム１１の照明部２５の裏側に当たることにより、照明部２５が発光するよう構成する。【選択図】図４
2014043220.tif 000002
【特許請求の範囲】
【請求項１】
空気吹出口の前側開口部に傾動可能に差し渡されて、吹き出る空気の向きを変更する風向調節羽根であって、
光を透過する導光部と、光を透過しない遮光部とによって構成された羽根本体と、該羽根本体の少なくとも前縁を被覆する装飾フィルムとを備え、
導光部は、装飾フィルムの裏面と当接するとともに、羽根本体の側部に露出する部分を光源の光を受け入れる受光部としており、
装飾フィルムには、導光部を被覆する部分に、光を透過可能な照明部が設けられており、
導光部の受光部に入射した光が装飾フィルムの照明部の裏側に当たることにより、照明部が発光するよう構成されていることを特徴とする風向調節羽根。
【請求項２】
装飾フィルムは、金属光沢を有し、且つ、光を透過可能な薄膜金属層と、該薄膜金属層の裏面に一体的に配設される光透過性の裏面保護層と、該裏面保護層の裏側に印刷される、光不透過性の遮光印刷層とを備えてなり、表面に金属光沢を有する金属調装飾部が形成されたものであり、
遮光印刷層は、金属調装飾部を形成する部分で所定形状に欠落しており、遮光印刷層の当該欠落部分に照明部が形成されることを特徴とする請求項１に記載の風向調節羽根。
【請求項３】
装飾フィルムを金型にセットして、導光部と遮光部を順番に射出成形して製造されるフィルムインサート成形品であることを特徴とする請求項１又は請求項２に記載の風向調節羽根。
【請求項４】
前記受光部は、羽根本体の側部であって、傾動中心に配設されていることを特徴とする請求項１ないし請求項３のいずれか１項に記載の風向調節羽根。
【請求項５】
前記受光部は、羽根本体の側部であって、遮光部によって形成された穴の底部に配設されていることを特徴とする請求項４に記載の風向調節羽根。
【請求項６】
羽根本体は、略左右対称形状をなし、前記受光部は、羽根本体の両側に対をなすように配設されていることを特徴とする請求項１ないし請求項５のいずれか１項に記載の風向調節羽根。
【請求項７】
請求項１乃至請求項６のいずれか１項に記載の風向調節羽根をフレームの前側開口部に傾動可能に軸支してなり、フレームの、前記風向調節羽根の受光部と対向する位置に光源が配設されていることを特徴とする空気吹出口。
【発明の詳細な説明】
【技術分野】
【０００１】
本発明は、カーエアコン等の空気吹出口に用いられる風向調節羽根に関する。
【背景技術】
【０００２】
特許文献１には、カーエアコン等の空気吹出口に設けられる風向調節羽根であって、その前縁に光源を備えたものが提案されている。具体的には、かかる風向調節羽根では、光源は、羽根の長手方向に沿って摺動する操作ノブの裏側に配設されて、操作ノブを裏側から照らすよう構成される。ここで、特許文献１には、風向調節羽根の前縁に設けられた光源に電源を供給する構成として、電源コードを風向調節羽根の内部に通す構成と、風向調節羽根の表面に形成したメッキを介して光源に電源を供給する構成が提案されている。
【先行技術文献】
【特許文献】
【０００３】
【特許文献１】特開２００４−２５９６０号公報
【発明の概要】
【発明が解決しようとする課題】
【０００４】
ところで、上記特許文献１に記載の風向調節羽根では、羽根の前縁に設けられた光源は、羽根の動きに合わせて回動するため、光源に電源を供給するための構造が複雑となる。また、電源供給路が動くため、電源の供給に不具合が生じることがある。例えば、上記風向調節羽根のうち、電源コードを羽根の内部に通す構成では、羽根の傾動に伴って電源コードがねじれて断線するおそれがあった。また、羽根表面のメッキを介して電源を供給する構成では、羽根の傾動に伴って電源端子がメッキに沿っての摺動するため、接触不良が起こり易い。
【０００５】
本発明は、かかる現状に鑑みてなされたものであり、構造が簡単で壊れ難い風向調節羽根、及び該風向調節羽根を備えた空気吹出口の提供を目的とする。
【課題を解決するための手段】
【０００６】
本発明は、空気吹出口の前側開口部に傾動可能に差し渡されて、吹き出る空気の向きを変更する風向調節羽根であって、光を透過する導光部と、光を透過しない遮光部とによって構成された羽根本体と、該羽根本体の少なくとも前縁を被覆する装飾フィルムとを備え、導光部は、装飾フィルムの裏面と当接するとともに、羽根本体の側部に露出する部分を光源の光を受け入れる受光部としており、装飾フィルムには、導光部を被覆する部分に、光を透過可能な照明部が設けられており、導光部の受光部に入射した光が装飾フィルムの照明部の裏側に当たることにより、照明部が発光するよう構成されていることを特徴とする風向調節羽根である。
【０００７】
すなわち、本発明の風向調節羽根は光源を備えず、光源の光を受光部から導光部内に受け入れて、受け入れた光を導光部を介して装飾フィルムの照明部の裏側へ導いて、照明部を発光させる。かかる風向調節羽根を具備する空気吹出口は、風向調節羽根が傾動しても光源は動かないため、風向調節羽根の傾動に合わせて電源ケーブルや電源端子等を動かす必要がなくなり、従来構成に比べて接触不良や断線などの不具合を低減できるとともに、光源への配線を簡易化できるという利点がある。また、本発明では、羽根本体の前縁を装飾フィルムで覆うことで、光源の非点灯時も意匠性を確保することができるという利点もある。
【０００８】
本発明にあって、装飾フィルムは、金属光沢を有し、且つ、光を透過可能な薄膜金属層と、該薄膜金属層の裏面に一体的に配設される光透過性の裏面保護層と、該裏面保護層の裏側に印刷される、光不透過性の遮光印刷層とを備えてなり、表面に金属光沢を有する金属調装飾部が形成されたものであり、遮光印刷層は、金属調装飾部を形成する部分で所定形状に欠落しており、遮光印刷層の当該欠落部分に照明部が形成される構成が提案される。
【０００９】
かかる構成にあっては、照明部を形成する遮光印刷層は、薄膜金属層の裏側に形成されるため、照明部を裏側から照らさない状態では、遮光印刷層の欠落部分は、薄膜金属層の金属光沢によって遮られて判別不能となり、照明部は金属調装飾部の中に埋没することとなる。一方、照明部を裏側から照らした状態では、遮光印刷層の欠落部分を光が透過することにより、金属調装飾部の中で照明部が光って視認されることとなる。このように、かかる構成では、照明部を裏側から照らした時のみに、照明部が光って現出するため、照明の有無によって風向調節羽根の意匠を大きく変化させることが可能となる。
【００１０】
また、本発明にあって、装飾フィルムを金型にセットして、導光部と遮光部を順番に射出成形して製造されるフィルムインサート成形品である構成が提案される。
【００１１】
かかる構成にあっては、羽根本体の成形と同時に、羽根本体の表面に装飾フィルムを一体化することができるため、風向調節羽根の製造時に、導光部と遮光部を組み付けたり、導光部に装飾フィルムを貼付したりする作業を省くことができる。また、羽根本体の表面を装飾フィルムで被覆する際に、フィルムの縁にバリが発生しないため、美観も優れたものとなる。また、風向調節羽根は、空気吹出口から吹き出る温風や冷風により、膨張と収縮を繰り返すこととなるが、本構成では装飾フィルム、導光部、及び遮光部が一体化されているため、各部品の膨張率が相違していても反り変形が生じ難いという利点がある。
【００１２】
また、本発明にあって、前記受光部は、羽根本体の側部であって、傾動中心に配設されている構成が提案される。
【００１３】
かかる構成にあっては、風向調節羽根が傾動しても受光部は傾動しないため、受光部と光源の位置関係が固定的なものとなり、光源の照射光を受光部に安定して入射可能となる。このため、本構成によれば、風向調節羽根の傾動時に受光部に受け入れる光量が変化して、照明部の明るさが不安定となるのを防止できる。
【００１４】
また、本発明にあって、前記受光部は、羽根本体の側部であって、遮光部によって形成された穴の底部に配設されている構成が提案される。
【００１５】
かかる構成にあっては、受光部の周囲が遮光部によって囲繞されることとなるため、光源の照射光が受光部の周囲に漏れ出て美観を損ね難くなる。
【００１６】
また、本発明にあって、羽根本体は、略左右対称形状をなし、前記受光部は、羽根本体の両側に対をなすように配設されている構成が提案される。
【００１７】
かかる発明によれば、風向調節羽根の両側から光源の光を受け入れることとなるため、照明部の明るさを左右対称にし易いという利点がある。
【００１８】
また、本発明の別の態様は、上記風向調節羽根をフレームの前側開口部に傾動可能に軸支してなり、フレームの、前記風向調節羽根の受光部と対向する位置に光源が配設されていることを特徴とする空気吹出口である。
【００１９】
かかる構成によれば、風向調節羽根を光源によって適切に発光させるとともに、従来構成に比して、構造が簡単で、なおかつ、壊れ難い空気吹出口を実現できる。提供を目的とする。
【発明の効果】
【００２０】
以上に述べたように、本発明によれば、風向調節羽根の傾動時に光源を動かさなくてよいため、接触不良や断線等の不具合が起き難くなり、また、風向調節羽根や空気吹出口の構造を簡素化できる。
【図面の簡単な説明】
【００２１】
【図１】実施例の空気吹出口１の使用状態説明図である。
【図２】空気吹出口１の斜視図である。
【図３】風向調節羽根４の斜視図であり、（ａ）は照明部２５の非発光状態を示し、（ｂ）は照明部２５の発光状態を示す。
【図４】風向調節羽根４を横断して示す斜視図である。
【図５】風向調節羽根４を縦断して示す斜視図である。
【図６】空気吹出口１を光源装着孔８部分で縦断して示す斜視図である。
【図７】装飾フィルム１１の層構造を示す説明図である。
【図８】風向調節羽根４の作用説明図である。
【図９】変形例の風向調節羽根４ａを縦断して示す斜視図であり、（ａ）は、導光部１３と遮光部１４を分離した状態を示し、（ｂ）は、導光部１３と遮光部１４を組み付けた状態を示す。
【発明を実施するための形態】
【００２２】
本発明の実施形態を、以下の実施例に従って説明する。
実施例の空気吹出口１は、カーエアコンの空気吹出口であって、図１に示すように、自動車のダッシュボードＤに配設されるものである。具体的には、空気吹出口１は、図２に示すように、箱状のフレーム２の前側開口部３に、風向きを上下方向に調節する水平な三枚の風向調節羽根４が並設される。また、図示省略するが、フレーム２の奥には、風向きを左右方向に調節する垂直な風向調節羽根が設けられる。この垂直な風向調節羽根は、水平な風向調節羽根４のうち、中段の羽根４に摺動可能に装着された操作部材６を左右に操作することで所望の角度に傾動させることができる。なお、空気吹出口１の基本構成は、従来構成と同じであるため、詳細な説明は省略する。
【００２３】
フレーム２の前側開口部３に装着される風向調節羽根４は、図３に示すように、幅広板状をなす羽根本体１０を主体とする。羽根本体１０の前縁には、装飾フィルム１１が積層一体化されており、該装飾フィルム１１によって風向調節羽根４の前縁に金属光沢を有する金属調装飾部１７が形成されている。羽根本体１０の両側には、一対の傾動穴１２が形成される。風向調節羽根４は、この傾動穴１２を支持されることにより、フレーム２に対して上下に傾動可能に保持される。また、後述するように、風向調節羽根４の金属調装飾部１７には、横長矩形状の照明部２５が幅方向に沿って複数形成される。この照明部２５は、裏側から光を当てないと、図３（ａ）に示すように、金属調装飾部１７の中で識別困難となり、図３（ｂ）に示すように、裏側から光を当てると金属調装飾部１７の中で光って視認されることとなる。
【００２４】
また、操作部材６は、図３に示すように、風向調節羽根４に外嵌する装着部１５と、装着部１５の背面側に延出する連係部１６とで構成され、装着部１５を風向調節羽根４の左右方向に摺動させると、連係部１６を介して垂直な風向調節羽根を傾動させ得るよう構成されている。なお、図面では、操作部材６が装着された風向調節羽根４を示しているが、操作部材６が装着されていない二枚の風向調節羽根４も同一構成である。
【００２５】
風向調節羽根４の羽根本体１０は、図４，５に示すように、光透過性の導光部１３と光不透過性の遮光部１４とで構成される。導光部１３は、羽根本体１０の前寄り部分に形成されて、羽根本体１０の前縁で装飾フィルム１１の裏面と当接するとともに、羽根本体１０の両側部で傾動穴１２の先端に露出している。この導光部１３は、光拡散剤を含む透明なＡＢＳ樹脂によって構成されており、傾動穴１２の先端に露出する部分を受光部１８とし、光源（ＬＥＤ）の光を該受光部１８から受け入れ、受け入れた光を内部で拡散させながら装飾フィルム１１の裏面に伝達する。一方、遮光部１４は、光を透過しない黒色のＡＢＳ樹脂によって構成されており、羽根本体１０の、導光部１３を除く部分を形成する。この遮光部１４は、導光部１３を外側から覆うように形成され、導光部１３の内部を伝わる光が周囲に漏れ出るのを防止する。
【００２６】
一方、空気吹出口１のフレーム２には、図６に示すように、両側の側壁５，５の内側に、風向調節羽根４を傾動可能に支持する傾動軸７が突成されている。この傾動軸７の中心には、側壁５を内外方向に貫通する光源装着孔８が形成されており、該光源装着孔８に光源となるＬＥＤ９が配設され、該ＬＥＤ９の照射光が、傾動軸７の先端から風向調節羽根４の受光部１８に照射されるよう構成されている。
【００２７】
装飾フィルム１１は、全面に金属光沢を有する金属調装飾が形成されたものであり、図７に示すように、金属調装飾を形成する薄膜金属層２１と、該薄膜金属層２１の表面に設けられる表面保護層２２と、該薄膜金属層２１の裏面に設けられる裏面保護層２３と、裏面保護層２３の裏側に印刷される印刷層２４とで構成される。薄膜金属層２１は、インジウム等の金属薄膜からなるものであり、照射される一部の光を反射し、一部の光を透過させることにより、表側からの光によって金属光沢を呈するとともに、裏側からの光を部分的に表側に透過させる。この金属薄膜は、樹脂フィルムに真空蒸着してなる真空蒸着膜や、樹脂フィルムにスパッタリングしてなるスパッタ膜が好適に用いられる。また、金属薄膜の膜厚は４００〜７００Åが好ましい。膜厚が４００Å以上であれば薄膜金属層２１は十分な金属光沢を示し、膜厚が７００Å以下であれば、薄膜金属層２１に十分量の光を透過可能となる。表面保護層２２は、薄膜金属層２１の金属薄膜の基材となるＰＥＴ樹脂層２２ｂと、該ＰＥＴ樹脂層２２ｂの表面に形成されるアクリル樹脂層２２ａとからなる。アクリル樹脂層２２ａ及びＰＥＴ樹脂層２２ｂは透明樹脂によって構成され、薄膜金属層２１の表面を保護するとともに、薄膜金属層２１の金属光沢を表側から視認可能とする。一方、裏面保護層２３は、厚さ約２００〜２５０μｍの光透過性のＡＢＳ樹脂製フィルムで構成されるものであり、羽根本体１０を背面側に射出する際に、薄膜金属層２１が熱で白化するのを防止する断熱層として機能する。また、裏面保護層２３は、印刷層２４の印刷面を構成する。印刷層２４は、光不透過性の黒色インキで形成される遮光印刷層２４ａと、光透過性の青色インキで形成される着色印刷層２４ｂとで構成される。遮光印刷層２４ａは、図７に示すように、照明部２５を形成する部分で欠落することにより、裏側から照射される光が、照明部２５のみを透過するようにするものである。一方、着色印刷層２４ｂは、光透過性の青色インキで形成されるものであり、照明部２５を透過する光を青く着色する。
【００２８】
かかる装飾フィルム１１によれば、照明部２５を裏側から照らすと、照明部２５の部分を光が透過することによって、金属調装飾部１７の中に照明部２５が光って視認されることとなる。一方、照明部２５を裏側から照らさない状態では、遮光印刷層２４ａの欠落部分２６が薄膜金属層２１の金属光沢に遮られて視認困難となることにより、表側からは照明部２５の形状を判別困難となる。
【００２９】
以上の構成によれば、本実施例の空気吹出口１では、傾動軸７に配設されたＬＥＤ９の非点灯時は、装飾フィルム１１の照明部２５の裏側に光が当たらないため、図３（ａ）に示すように、照明部２５は、金属調装飾部１７の金属光沢の中に埋没して判別困難となる。一方、ＬＥＤ９の点灯状態では、ＬＥＤ９の照射光が、導光部１３の受光部１８に入射し、図８に示すように、当該照射光が、導光部１３を拡散しながら装飾フィルム１１の裏面に到達することにより、照明部２５が発光することとなる。したがって、本実施例の空気吹出口１は、夜間などに照明部２５を点灯させることで、操作部材６の位置を把握して風向調節を容易に行うことが可能となり、また、意匠的外観を向上させることも可能となる。
【００３０】
本実施例の風向調節羽根４は、フィルムインサート成形によって容易に製造できる。具体的には、まず、薄膜金属層２１の両面に保護層２２，２３を有するフィルムを製造し、しかる後に、当該フィルムの裏面に印刷層２４を印刷することにより、凹凸のない装飾フィルム１１を得る。そして、かかる装飾フィルム１１を圧空成形等により賦形し、金型にセットし得るように周囲を裁断する。そして、得られた装飾フィルム１１を表側が金型の型面に接するようにセットし、導光部１３、遮光部１４の順番で二色成形を行うことで、羽根本体１０の表面に装飾フィルム１１が積層一体化した風向調節羽根４を製造する。
【００３１】
このように、本実施例の風向調節羽根４は、フレーム２の側壁５に取り付けられたＬＥＤ９の照射光によって、前縁に形成された照明部２５を光らせるため、既存の風向調節羽根４のように風向調節羽根４に光源を設ける必要がなくなり、風向調節羽根４の傾動時にＬＥＤ９を動かさずに済む。このため、本実施例の空気吹出口１では、ＬＥＤ９へ電源を供給する配線を簡単なものにでき、接触不良や断線等を生じさせることなく、風向調節羽根４を確実に発光させることができる。
【００３２】
また、本実施例では、羽根本体１０の前縁を、装飾フィルム１１で被覆しているため、導光部１３を構成する透明樹脂が風向調節羽根４の前縁に露出せず、ＬＥＤ９の非点灯時の意匠性も向上させることができる。また、本実施例では、装飾フィルム１１の裏側に遮光印刷層２４ａを印刷することによって照明部２５を形成するため、様々な形状の照明部を容易に実現できるという利点がある。特に、本実施例では、ＬＥＤ９の非点灯時は、照明部２５の形状は金属光沢に遮られて判別困難となるため、ＬＥＤ９の点灯時のみに、風向調節羽根４の前縁に照明部２５が現出するという、意外性のある意匠を実現できる。
【００３３】
また、本実施例の風向調節羽根４は、上述のように、フィルムインサート二色成形によって製造できるから、導光部１３と遮光部１４を組み付ける手間や、導光部１３に装飾フィルム１１を貼付することなく、容易に製造できるという利点がある。また、成形時に、装飾フィルム１１の際にバリが発生しないため、製品の美観を損ね難いという利点もある。
【００３４】
また、本実施例では、風向調節羽根４の側面であって、その傾動中心に受光部１８を設けており、風向調節羽根４の傾動角度に関わらず受光部１８の位置が固定されるため、ＬＥＤ９から受光部１８に入射する光量が安定なものとなり、風向調節羽根４の傾動角度に関わらず、照明部２５の明るさを一定レベルに保つことができるという利点がある。
【００３５】
また、本実施例では、受光部１８が傾動穴１２の先端に形成されて、受光部１８の周囲が遮光部１４によって筒状に覆われているため、受光部１８に照射されるＬＥＤ９の光が周囲に漏れ出て美観を損ね難いという利点がある。
【００３６】
また、本実施例では、風向調節羽根４の両側にＬＥＤ９を設けているため、照明部２５の明るさを左右対称にできるという利点がある。また、導光部１３を構成する透明樹脂材に光拡散剤を混ぜて、導光部１３の内部で光を拡散させるようにしているため、装飾フィルム１１の裏面に斑無く光を行き渡らせて、照明部２５の位置により生じる明暗差を少なくできるという利点がある。
【００３７】
なお、本発明の空気吹出口１は、上記実施例の形態に限らず本発明の要旨を逸脱しない範囲内において種々変更を加えることができる。
【００３８】
例えば、上記実施例の風向調節羽根４は、装飾フィルム１１と導光部１３と遮光部１４とを成形時に一体化してなるものであるが、図９に示す風向調節羽根４ａのように、別個に成形した導光部１３と遮光部１４を組み付けるようにしてもよい。ただし、図９に示す風向調節羽根４ａよりも、実施例の風向調節羽根４の方が、導光部１３と遮光部１４が一体化している分、膨張、収縮に強く、空気吹出口から吹き出る温風と冷風によって変形し難いという利点がある。なお、図９では、実施例と構成の共通する部分に同一符号を付している。
【００３９】
また、上記実施例の空気吹出口１は、カーエアコンの空気吹出口であるが、本発明に係る空気吹出口１は、カーエアコン以外の空気吹出口も含む。また、本発明に係る導光部１３と遮光部１４の形態は、上記実施例の構成に限らず適宜変更可能である。例えば、上記実施例では、導光部１３が羽根本体１０の前縁全幅に亘って設けられていたが、導光部１３は、少なくとも羽根本体１０の前縁の一部に設けられていればよい。また、装飾フィルム１１の照明部２５の形状も適宜変更可能である。例えば、操作部材６の一部又は全部を透明にするとともに、操作部材６の裏側に照明部２５を設ける構成とすれば、ＬＥＤ９の点灯によって操作部材６を光らせることができる。また、上記実施例では、フレーム２に傾動軸７が形成され、風向調節羽根４に傾動穴１２が形成されているが、かかる構成に替えて、風向調節羽根側に傾動軸を設けてもかまわない。また、上記実施例の空気吹出口１では、フレーム２が箱型形状をなしているが、本発明の空気吹出口のフレームは、箱型形状に限定されず、筒型形状やパネル形状にすることも可能である。
【００４０】
また、上記実施例では、照明部２５を発光させる光源としてＬＥＤ９が用いられているが、照明部を発光させる光源は、ＬＥＤに限らず、白熱電球やＥＬ（エレクトロルミネッセンス）などを用いることもできる。
【符号の説明】
【００４１】
１  空気吹出口
２  フレーム
３  前側開口部
４，４ａ  風向調節羽根
５  側壁
６  操作部材
７  傾動軸
８  光源装着孔
９  ＬＥＤ（光源）
１０  羽根本体
１１  装飾フィルム
１２  傾動穴（穴）
１３  導光部
１４  遮光部
１５  装着部
１６  連係部
１７  金属調装飾部
１８  受光部
２１  薄膜金属層
２２  表面保護層
２２ａ  アクリル樹脂層
２２ｂ  ＰＥＴ樹脂層
２３  裏面保護層
２３ａ  ＡＢＳ樹脂層
２３ｂ  第一インキ層
２３ｃ  第二インキ層
２５  照明部
２６  欠落部
Ｄ  ダッシュボード
【図１】
2014043220.tif 000003
【図２】
2014043220.tif 000004
【図３】
2014043220.tif 000005
【図４】
2014043220.tif 000006
【図５】
2014043220.tif 000007
【図６】
2014043220.tif 000008
【図７】
2014043220.tif 000009
【図８】
2014043220.tif 000010
【図９】
2014043220.tif 000011